(57)【特許請求の範囲】
【請求項１】
ガソリン，灯油，軽油，その他の液体を、断面楕円状のタンク内に積載して運搬するタンクローリであって、
該タンク上に全体的に周設，立設され、外側面が下部ほど徐々に外側方に向け傾斜した防護枠と、該防護枠の左右外側の該タンク上に前後方向に間隔を存しつつ配され、横部と縦部を備えた複数の取付脚と、左右の各該取付脚を介し、該タンク上に前後方向に水平に配された左右のステップボードと、を有してなり、
該防護枠は、該外側面に、該取付脚の横部の側端の取付部と、該取付部上の位置に該ステップボードの内側端の嵌入溝と、が形成されており、該取付脚は、該横部の側端が該防護枠の取付部に溶接固定されると共に、縦部の下端が該タンク上に溶接固定され、該ステップボードは、該内側端が該防護枠の嵌入溝に嵌着されると共に、該取付脚の横部上に取付け固定されていること、を特徴とするタンクローリ。
【発明の詳細な説明】
【０００１】
【発明の属する技術分野】
本発明は、タンクローリに関する。すなわち、ガソリン，灯油，軽油等をタンク内に積載して運搬する、タンクローリに関するものである。
【０００２】
【従来の技術】
図３，図４，図５は、タンクローリの平面図，側面図，背面図である。タンクローリ１は、ガソリン，灯油，軽油，その他の液体を、断面楕円状のタンク２内に積載して運搬する。そして、タンク２上に全体的に周設，立設され、外側面３が下部ほど徐々に外側方に向け傾斜した防護枠４と、防護枠４の左右外側のタンク２上に前後方向に間隔を存しつつ配され、横部５と縦部６を備え断面略フ字状をなす複数の取付脚７と、左右の各取付脚７を介し、タンク２上に前後方向に水平に配された左右のステップボード８と、をタンク２上に備えてなる。防護枠４は、積込み時に誤ってガソリン等の液体が流出等しないように、タンク２上の各マンホール９その他の給油装置を囲っている。ステップボード８は、積込み時の作業等の足場として使用される。
【０００３】
図２は、この種従来例の要部の縦断面図である。同図にも示したように、ステップボード８は従来、次のようにタンク２上に取付けられていた。すなわち、まず各取付脚７の横部５の側端が、防護枠４の傾斜した外側面３に溶接固定されると共に、各取付脚７の縦部６の下端が、断面楕円状の各タンク２上に溶接固定され、このような各取付脚７の横部５上に、ステップボード８が、それぞれ内外２箇所にてボルト１０により取付け固定されていた。又、ステップボード８には、内側端および外側端にそれぞれわん曲部１１，１２が、曲げ加工により形成されており、このわん曲部１１，１２により、ステップボード８の内外の剛性・強度の向上が図られていた。
【０００４】
【発明が解決しようとする課題】
ところで、このような従来例にあっては、次の問題が指摘されていた。まず第１に、取付脚７の溶接固定に際し、位置決めに手間と時間がかかり、位置決め専用の合わせ治具も必要である、という問題が指摘されていた。すなわち、まず▲１▼、取付脚７の横部５の側端の溶接固定対象、つまり取付け対象たる防護枠４の外側面３は、下部ほど徐々に外側方に向け傾斜している。更に▲２▼、取付脚７の縦部６の下端の溶接固定対象、つまり取付け対象たるタンク２は断面楕円状をなし、タンク２上もわん曲傾斜している。かつ▲３▼、タンク２には、その軸線方向に沿った歪みやねじれ等が若干ながら存することが多い。
【０００５】
そこで、その上に取付け固定されるステップボード８が水平を保つべく、各取付脚７を正確に位置決めすることは容易でなかった。つまり、上述した▲１▼，▲２▼，▲３▼に起因し、防護枠４の傾斜した左右の外側面３や、わん曲傾斜し歪みやねじれも存するタンク２上を対象に、各取付脚７について、正確に高さ位置や水平等を揃え合わせることは、容易でなかった。もって、このような位置決めの困難さに起因し、作業に手間と時間がかかると共に、位置決め専用の合わせ治具も必須的に用いられていた。
【０００６】
第２に、ステップボード８を、各取付脚７毎にその横部５上に対し、内外２箇所ずつ、ボルト１０等にて取付け固定することを要していた。そこでこの面からも、作業に手間と時間がかかる、という問題も指摘されていた。
【０００７】
第３に、ステップボード８は、内外の剛性・強度の向上のため、内側端および外側端の両方について、わん曲部１１，１２が形成されていた。もって、その両曲げ加工の分だけコスト高となる、という問題も指摘されていた。
【０００８】
本発明は、このような実情に鑑み、上記従来例の課題を解決すべくなされたものであって、防護枠の外側面に、取付脚の横部側端の取付部と、ステップボードの内側端の嵌入溝と、を形成したことにより、第１に、取付脚の位置決めが簡単容易化されると共に、第２に、ステップボードの取付脚への取付け固定も簡略化され、第３に、ステップボードの内側端の曲げ加工が不要化される、タンクローリを提案することを目的とする。
【０００９】
【課題を解決するための手段】
このような課題を解決する本発明の技術的手段は、次のとおりである。すなわちタンクローリは、ガソリン，灯油，軽油，その他の液体を、断面楕円状のタンク内に積載して運搬する。そして、該タンク上に全体的に周設，立設され、外側面が下部ほど徐々に外側方に向け傾斜した防護枠と、該防護枠の左右外側の該タンク上に前後方向に間隔を存しつつ配され、横部と縦部を備えた複数の取付脚と、左右の各該取付脚を介し、該タンク上に前後方向に水平に配された左右のステップボードと、を有してなる。そして該防護枠は、該外側面に、該取付脚の横部の側端の取付部と、該取付部上の位置に該ステップボードの内側端の嵌入溝と、が形成されている。もって該取付脚は、該横部の側端が該防護枠の取付部に溶接固定されると共に、縦部の下端が該タンク上に溶接固定され、該ステップボードは、該内側端が該防護枠の嵌入溝に嵌着されると共に、該取付脚の横部上に取付け固定されていること、を特徴とする。
【００１０】
このようにこのタンクローリでは、タンク上の防護枠外側面に、各取付脚の取付部とステップボードの嵌入溝と、が形成されている。もって各取付脚は、その横部の側端が、この防護枠の外側面の取付部に溶接固定されると共に、縦部の下端が、タンク上に溶接固定される。そしてステップボードは、その内側端が、この防護枠の外側面の嵌入溝に嵌着されると共に、各取付脚の横部上に取付け固定され、タンク上の左右に前後方向に水平に配されている。
【００１１】
【発明の実施の形態】
以下本発明を、図面に示す発明の実施の形態に基づいて、詳細に説明する。図１は、本発明の実施の形態の説明に供し、（１）図は要部の縦断面図、（２）図は、その拡大した分解説明図である。
【００１２】
まず、図１，図２，図３等を参照しつつ、タンクローリ１について一般的に述べる。タンクローリ１の車台フレーム１３には、断面楕円状のタンク２が搭載されており、このタンク２内は、幅方向に沿った仕切板により、３室から７室程度の複数室のタンク室（図示せず）に区画されている。そして、レギュラーガソリン，ハイオクガソリン，灯油，軽油，その他の油等の液体が、油槽所の貯蔵タンクから、各タンク室上部のマンホール９付近に設けられた注入口を介して、各タンク室にそれぞれ積込まれる。もってタンクローリ１は、タンク２の各タンク室にこのような油等を積載して運搬し、目的地の荷卸し先、例えばガソリンスタンドの荷受けタンクに荷卸しする。なお、タンクローリ１としては、図示の一体的な単車タイプのものの他、タンク２を積載したトレーラーがトラクタにて牽引されるトレーラータイプのものもある。図中１４は運転室たるキャブ、１５は車台フレーム１３下の車輪を示す。タンクローリ１は、一般的にこのようになっている。
【００１３】
以下、図１をも参照しつつ説明する。タンクローリ１は、タンク２上に全体的に周設，立設され、外側面３が下部ほど徐々に外側方に向け傾斜した防護枠４と、防護枠４の左右外側のタンク２上に前後方向に間隔を存しつつ配され、横部５と縦部６を備え断面略フ字状をなす複数の取付脚７と、左右の各取付脚７を介し、タンク２上に前後方向に水平に配された左右のステップボード８と、をタンク２上に有してなる。
【００１４】
これらについて、更に詳述する。防護枠４は、ガソリン，灯油，軽油，その他の油等の危険物たる液体を、タンク２上の各注入口からタンク２内の各タンク室に積込む際、その流出事故や飛散事故を防止する為、法規上の要請もあり、所定形状，高さでタンク２上に周設，立設されている。もって防護枠４は、タンク２上に付設された各マンホール９，注入口，ハンドル，弁，その他の給油装置を囲っている。そして、防護枠４自体は、内部空間１６が存すると共に、内部空間１６が、徐々に上部ほど小さく下部ほど大きく形成された、断面略Ａ字状をなし、下端がタンク２上に溶接固定されている。つまり従来より防護枠４は、外壁たる外側面３が、下部ほど徐々に外側方に向け傾斜し、内壁たる内側面１７がほぼ縦に直立し、介装板１８が、内部空間１６を上下に２分するように、外側面３と内側面１７間に横に介装されている。
【００１５】
取付脚７は、周設された左右の防護枠４の両外側面３のそれぞれ外側にて、タンク２上の左右に、前後方向つまり長手方向に間隔を存しつつ、複数配されている。そして取付脚７は、それぞれ同一形状よりなり、一方の側端１９が自由端となり水平で例えば略角フレーム状をなす横部５と、横部５の他側を折曲するように一体的に連設され例えば略角フレーム状をなす縦部６と、からなり、全体的には断面略フ字状をなす。ステップボード８は、このような左右の各取付脚７を介し、タンク２上の左右について、それぞれ前後方向つまり長手方向に水平に配され、左右同一形状の細長板状をなす。もって、この左右のステップボード８は、油槽所における積込時等において、タンク２上での作業用，歩行用，移動用等の足場として使用される（防護枠４内は、マンホール９，注入口，ハンドル，弁，その他の給油装置が存し、作業，歩行，移動等に支障が存する）。そして、左右のステップボード８の外側端には、それぞれわん曲部１２が曲げ加工にてフランジ状に形成されており、このようなわん曲部１２はステップボード８について、外側の剛性・強度を向上せしめると共に、歩行や移動時のガイド用，安全用，外観向上用等に供される。なお、このような防護枠４，取付脚７，ステップボード８等は、例えばアルミ製の押出し型材よりなる。
【００１６】
そして、防護枠４，取付脚７，ステップボード８等は、図１に示したように、次のように構成されている。すなわち、まず防護枠４の外側面３には、取付脚７の横部５の側端１９の取付部２０と、取付部２０上の位置にステップボード８の内側端２１の嵌入溝２２と、が形成されている。もって取付脚７は、その横部５の側端１９が、防護枠４の取付部２０に溶接固定されると共に、縦部６の下端が、タンク２上に溶接固定されている。又、ステップボード８は、その内側端２１が、防護枠４の嵌入溝２２に嵌着されると共に、取付脚７の横部５上に取付け固定されている。
【００１７】
これらについて、更に詳述する。まず、周設，立設された防護枠４の左右の外側面３、つまり左右の防護枠４の両外側面３には、嵌入溝２２と取付部２０とが、上下に連続して形成されている。嵌入溝２２は、ステップボード８の内側端２１を、密に嵌入して嵌着するに足る寸法、つまりステップボード８の板厚に見合った上下寸法にて、横溝状に形成されている。又、図示例の取付部２０は、縦に垂直にフラットで前後に横長な取付面２３と、取付面２３下に突設されたリブ状の突出座部２４と、を備えてなる。そして、取付面２３の上下寸法が、取付脚７の横部５の側端１９の上下寸法に見合うべく設定されると共に、突出座部２４の上に、取付脚７の側端１９が位置決めされる関係に設定される。なお、取付部２０の構成は、このような図示例に限定されるものではなく、例えば突出座部２４が存しない取付部２０も可能である。
【００１８】
そして、このような嵌入溝２２や取付部２０は、防護枠４と一体成形されている。すなわち、防護枠４の外側面３の中央部には、徐々に外方に向け肉厚が付加された肉厚部２５が形成されており、このような肉厚部２５に、嵌入溝２２や取付部２０が形成されている。そして、このような肉厚部２５，嵌入溝２２，取付部２０付の外側面３、そして防護枠４は、例えばアルミ製の押出し型材として、全体的に一体成形されている。なお図中２６は、重量軽減用の中空部であり、この中空部２６は、取付部２０の取付面２３の内側の肉厚部２５内に、形成されている。
【００１９】
そして各取付脚７は、その横部５の側端１９の縦にフラットな面が、防護枠４の外側面３側の取付部２０の縦にフラットな取付面２３に対し、それぞれ対応当接されると共に、溶接固定されている。かつ各取付脚７は、その縦部６の下端が、タンク２上の左右にパッチたる当て板２７を介し、それぞれ溶接固定されている。又、左右の両ステップボード８は、それぞれ、その内側端２１が、防護枠４の外側面３側の嵌入溝２２に、嵌入，嵌着されている。これと共に両ステップボード８は、それぞれ、上述により溶接固定されている左右の各取付脚７の横部５上に対し、取付け固定されており、図示例では、ステップボード８の外側付近にて１本のボルト１０にて、それぞれ取付け固定されている。なお、このような図示例によらず、ボルト１０に代えリベットを用いたり溶接にて、取付け固定するようにしてもよい。
【００２０】
本発明は、以上説明したように構成されている。そこで、以下のようになる。このタンクローリ１では、断面楕円状のタンク２上に周設，立設された防護枠４の傾斜した外側面３に、左右の各取付脚７の横部５の側端１９の取付部２０と、左右の両ステップボード８の内側端２１の嵌入溝２２と、が形成されている。もって各取付脚７は、その横部５の側端１９が、このような防護枠４の外側面３の取付部２０に溶接固定されると共に、縦部６の下端が、タンク２上に溶接固定される。そして、左右のステップボード８はそれぞれ、その内側端２１が、このような防護枠４の左右の外側面３の嵌入溝２２に嵌着されると共に、各取付脚７の横部５上に例えばそれぞれ１本のボルト１０にて取付け固定され、もって、タンク２上の左右にて前後方向に水平に配されている。さてそこで、このタンクローリ１にあっては、次の第１，第２，第３のようになる。
【００２１】
第１に、まず▲１▼、取付脚７の横部５の側端１９の溶接固定対象、つまり取付け対象とする防護枠４の外側面３は、下部ほど徐々に外側方に向け傾斜している。更に▲２▼、取付脚７の縦部６の下端の溶接固定対象、つまり取付け対象とするタンク２は、断面楕円状をなし、タンク２上もわん曲傾斜している。かつ▲３▼、タンク２には、その軸線方向に沿った歪みやねじれ等が、若干ながら存することが多い。
【００２２】
そこで本発明では、防護枠４のこのように傾斜した外側面３について、取付部２０が形成されており、各取付脚７の横部５の側端１９は、このように形成された専用の取付部２０を、直接的な溶接固定対象つまり取付け対象とし、防護枠４の傾斜した外側面３に、直接的に溶接固定される訳ではない。このように各取付脚７は、横部５側が、取付部２０を溶接固定対象とすることにより、高さ位置，水平等を揃えて合わせられ、正確に位置決めされて、溶接固定されるようになる。つまり各取付脚７は、縦部６側が、わん曲，歪み，ねじれ等が存するタンク２上を溶接固定対象とするものの、このように横部５側が、正確に位置決めされ、更に事後、ステップボード８の内側端２１が、防護枠４の外側面３に形成された嵌入溝２２に嵌着されることもあり、全体的にも正確に位置決めされるようになる。
【００２３】
第２に、ステップボード８はその内側端２１が、防護枠４の外側面３に形成された嵌入溝２２に、嵌入，嵌着される。そこでステップボード８は、各取付脚７の横部５上に取付け固定される際、このように内側端２１が嵌入溝２２に嵌着されている分だけ、その取付け固定が簡略化される。つまりステップボード８は、内側付近の固定はこのような嵌着で十分確保されるので、各取付脚７の横部５上に対し、外側付近のみを例えばボルト１０にて取付固定すればよく、内側付近のボルト１０止めは不要である。このように、ステップボード８について、取付脚７への取付け固定が簡略化される。
【００２４】
第３に、同様にステップボード８の内側端２１が、防護枠４の外側面３に形成された嵌入溝２２に、嵌入，嵌着されているので、その内側付近の剛性・強度は、これにより十分に確保される。つまり、ステップボード８の内側端２１は、フラットなままとなっており、内側付近の剛性・強度向上のための曲げ加工は、行われない。もってステップボード８について、剛性・強度向上のためのフランジ状の曲げ加工は、わん曲部１２として外側付近についてのみ実施すればよく、内側付近について曲げ加工は行われない（図２に示したわん曲部１１は不要化される）。
【００２５】
【発明の効果】
本発明に係るタンクローリは、以上説明したように、防護枠の外側面に、取付脚の横部側端の取付部と、ステップボードの内側端の嵌入溝と、を形成したことにより、次の効果を発揮する。
【００２６】
第１に、取付脚の位置決めが、簡単容易化される。すなわち、各取付脚の横部の側端は、防護枠の外側面に形成された専用の取付部を対象に、高さ位置，水平等を揃え，合わせることにより、正確に位置決めされ、もって溶接固定される。
【００２７】
すなわち各取付脚は、▲１▼防護枠の傾斜した外側面，▲２▼わん曲傾斜したタンク上，▲３▼歪みやねじれも存するタンク上を、溶接固定対象つまり取付け対象とする。しかしながら、このように、傾斜した外側面に形成された専用の取付部を対象・目安とすることにより、各取付脚は、前述したこの種従来例に比し、手間が省け，長時間を要せず，専用の合わせ治具も必要とせず、簡単容易かつ正確に位置決めされる。そしてこれに加え、ステップボードの内側端が、防護枠の外側面に形成された嵌入溝に嵌着されることもあり、ステップボードは歪みが生じることもなく、正確に水平に配される。
【００２８】
第２に、ステップボードの取付脚への取付け固定も、簡略化される。すなわち、ステップボードはその内側端が、防護枠の外側面の嵌入溝に嵌着されている。そこでステップボードは、各取付脚の横部上に取付け固定する際、前述したこの種従来例のように、内外２箇所ずつボルト止め等する必要はなく、外側付近のみボルト，リベット，溶接等にて取付け固定すればよい。このように、ステップボードの取付脚への取付け固定が、嵌入溝に嵌着されている分だけ簡略化され、この面からも、作業の手間が省け，時間も短縮される。
【００２９】
第３に、ステップボードの内側端の曲げ加工が、不要化される。すなわち、ステップボードはその内側端が、防護枠の外側面の嵌入溝に嵌着されているので、その内側付近の剛性・強度はこれで十分確保されると共に、その内側端はフラットなままであり、前述したこの種従来例のように、内側端の曲げ加工は行われない。もって、このように曲げ加工が削減された分だけ、コストが低減されるようになる。このように、この種従来例に存した課題がすべて解決される等、本発明の発揮する効果は、顕著にして大なるものがある。
【図面の簡単な説明】
【図１】本発明に係るタンクローリについて、発明の実施の形態の説明に供し、（１）図は、要部の縦断面図、（２）図は、その拡大した分解説明図である。
【図２】この種従来例の要部の縦断面図である。
【図３】タンクローリの平面図である。
【図４】タンクローリの側面図である。
【図５】タンクローリの背面図である。
【符号の説明】
１  タンクローリ
２  タンク
３  外側面
４  防護枠
５  横部
６  縦部
７  取付脚
８  ステップボード
１９  側端
２０  取付部
２１  内側端
２２  嵌入溝
【図１】
0003566823.tif 000002
【図２】
0003566823.tif 000003
【図３】
0003566823.tif 000004
【図４】
0003566823.tif 000005
【図５】
0003566823.tif 000006